(57)【特許請求の範囲】
【請求項１】
ＡＶ素子が設けられたＡＶユニットを基台に枢支し、前記ＡＶユニットに設けた複数の孔部に、前記基台に設けた突起部を択一的に嵌合して前記ＡＶユニットの回動位置を位置決めする位置決め部を設け、
前記位置決め部は、回動軸で枢支されるとともに前記回動軸を挟んで一方に前記突起部を形成して他方に手指により押下できる操作部を形成したレバー部材と、前記孔部の方向に前記突起部を付勢する付勢手段とを備え、前記操作部の押下と前記付勢手段の付勢力とにより前記突起部と前記孔部とを嵌脱させ、
前記操作部が突出する開口部を有して前記レバーを覆うカバーを設けるとともに前記突起部の回動方向のエッジを斜面または曲面に形成し、前記孔部から前記突起部が脱離して前記ＡＶユニットが回動する際に、前記突起部が前記孔部の周縁と当接するように前記カバーによって前記操作部の押下量を規制したことを特徴とするＡＶ装置。
【請求項２】
前記孔部は平行な２面を有することを特徴とする請求項１に記載のＡＶ装置。
【請求項３】
前記位置決め部を前記ＡＶユニットの両側面に設けたことを特徴とする請求項１または請求項２に記載のＡＶ装置。
【請求項４】
前記ＡＶ素子はスピーカ或いはディスプレイから成ることを特徴とする請求項１〜請求項３のいずれかに記載のＡＶ装置。
【発明の詳細な説明】
【０００１】
【発明の属する技術分野】
本発明は、ＡＶユニットを回動させる回動機構を有したＡＶ装置に関する。
【０００２】
【従来の技術】
従来の回動機構を有するＡＶ装置の一例としてスピーカ装置の正面図及び側面図を図９（ａ）、（ｂ）に示す。スピーカ装置３０はスピーカ３６が取り付けられたスピーカユニット３２と、スピーカユニット３２を支持する基台３１とから成っている。スピーカユニット３２は、一定の曲率半径を有する円筒面３２ａにより背面側を形成され、前面側をカバー３７により覆われている。基台３１にはスピーカユニット３２の円筒面３２ａと摺動する円筒面３１ａが形成されている。
【０００３】
図１０は図９（ａ）のＤ−Ｄ断面図を示している。スピーカユニット３２の円筒面３２ａにはビス孔３２ｂが形成されており、基台３１の円筒面３１ａにはスリット３１ｂが形成されている。基台３１の背面側に設けられた開口部３１ｃを介してスリット３１ｂにビス３３を挿通してビス孔３２ｂに螺合することにより、スピーカユニット３２と基台３２とが締結されている。ビス３３を緩めてスピーカユニット３２を回動することによりスピーカユニット３２を所定の向きに配置できるようになっている。
【０００４】
【発明が解決しようとする課題】
しかしながら、上記の従来のスピーカ装置３０によると、ビス３３の締付け力が小さいと、スピーカユニット３２を把持した際や衝撃力が加わった際に、回動部となるスピーカユニット３２が回動して向きが変化する問題があった。また、スピーカユニット３２の向きを変える際に、ユーザーはスピーカユニット３２を把持したままビス３３を緩めて再度締付ける必要があり、作業性が悪い問題もあった。
【０００５】
本発明は、簡単な構成により回動部を確実かつ容易に保持できるＡＶ装置を提供することを目的とする。
【０００８】
【課題を解決するための手段】
上記目的を達成するために本発明は、ＡＶ素子が設けられたＡＶユニットを基台に枢支し、前記ＡＶユニットに設けた複数の孔部に、前記基台に設けた突起部を択一的に嵌合して前記ＡＶユニットの回動位置を位置決めする位置決め部を設け、前記位置決め部は、回動軸で枢支されるとともに前記回動軸を挟んで一方に前記突起部を形成して他方に手指により押下できる操作部を形成したレバー部材と、前記孔部の方向に前記突起部を付勢する付勢手段とを備え、前記操作部の押下と前記付勢手段の付勢力とにより前記突起部と前記孔部とを嵌脱させ、前記操作部が突出する開口部を有して前記レバーを覆うカバーを設けるとともに前記突起部の回動方向のエッジを斜面または曲面に形成し、前記孔部から前記突起部が脱離して前記ＡＶユニットが回動する際に、前記突起部が前記孔部の周縁と当接するように前記カバーによって前記操作部の押下量を規制したことを特徴としている。
【０００９】
この構成によると、孔部に嵌合された突起部は付勢手段の付勢力により嵌合状態を保持し、付勢力に抗して操作部を押下するとレバー部材が回動して孔部から突起部が脱離する。また、複数の孔部の一から脱離した突起部がＡＶユニットと摺動して他の孔部上に配された際に摺動による負荷が解除される。
【００１２】
また本発明は、上記構成のＡＶ装置において、前記孔部は平行な２面を有することを特徴としている。この構成によると、孔部の径方向の位置と突起部の径方向の位置とが一致しなくても互いに嵌合できる。
【００１３】
また本発明は、上記構成のＡＶ装置において、前記位置決め部を前記ＡＶユニットの両側面に設けたことを特徴としている。
【００１４】
また本発明は、上記構成のＡＶ装置において、前記ＡＶ素子はスピーカ或いはディスプレイから成ることを特徴としている。
【００１５】
【発明の実施の形態】
以下に本発明の実施形態を図面を参照して説明する。図１〜図３は、一実施形態のＡＶ装置を示す上面図、正面図及び側面図である。ＡＶ装置１は、回動機構部２４によりＡＶユニット４が基台２２に対して回動可能に支持されている。ＡＶユニット４には液層パネル等のディスプレイやスピーカ等から成るＡＶ素子２３が設けられている。
【００１６】
回動機構部２４はＡＶユニット４の側面に配されており、基台２２と一体に形成された円形部２５に設けられてカバー１６により覆われている。カバー１６を取り外した状態を図４に示すとともに、図４のＡ−Ａ断面図を図５に示す。回動機構部２４の中心に形成された挿通孔３には段付ボルト５が挿通され、ＡＶユニット４に螺合されている。これにより、段付ボルト５が枢支軸となってＡＶユニット４が基台２２に対して回動可能になっている。尚、カバー１６の縁端には爪部２０、２１が形成され、基台２２に形成した係合孔１８、１９に係合して取り付けられている。
【００１７】
段付ボルト５の両側方には、Ｕ字型の溝部１２ａを有するレバー軸受け１２が突設されている。２つの溝部１２ａには、平板状のロックレバー（レバー部材）６の挿通孔６ａに挿通されたレバー軸１３が橋架されている。レバー軸１３は、レバー軸受け１２の外側に配されるボス２６（図８参照）に止めネジ１５でネジ止めされたワッシャー１４により回転自在に係止される。これにより、ロックレバー６がレバー軸１３を回動軸として回動可能になっている。尚、ロックレバー６には段付ボルト５との干渉を回避する貫通孔５ａが形成されている。貫通孔５ａ上にレバー軸１３が配されないように、ロックレバー６の両側壁からレバー軸を突設して一体に形成してもよい。
【００１８】
ロックレバー６の一端には、ＡＶユニット４の方向に突出するロックピン（突起部、第２嵌合部）７が形成されている。ロックレバー６の他端には、ロックピン７と反対方向に突出する操作部８が形成されている。操作部８はカバー１６に形成した開口部１７（図３参照）から突出するようになっている。
【００１９】
また、ロックレバー６にはワッシャー１４により係止されるスプリング１１が当接し、ロックピン７がＡＶユニット４の方向に付勢されている。これにより、スプリング１１の付勢力に抗して操作部８を手指により押下するとロックピン７がＡＶユニット４から離れ、操作部８から手指を離すとロックピン７がＡＶユニット４の方向に回動する。
【００２０】
基台２２の円形部２５にはロックピン７と対面する位置に貫通孔９が形成されている。また、ＡＶユニット４の側面にはロックピン７と同一の円周上に複数の孔部（第１嵌合部）１０が形成されている。従って、所定の回動位置にＡＶユニット４が配されるとスプリング１１の付勢力により貫通孔９を介して一の孔部１０にロックピン７が嵌合する。これにより、ＡＶユニット４が位置決めされる。
【００２１】
また、図６に示すように、手指により操作部８を押下すると、ロックピン７が孔部１０から脱離してＡＶユニット４が段付ボルト５を軸に回動可能になる。他の孔部１０上にロックピン７が配されたときに手指を離すと該孔部１０とロックピン７とが嵌合し、ＡＶユニット４の回動位置が可変される。
【００２２】
従って、ロックレバー６、スプリング１１、孔部１０によりＡＶユニット４の回動位置を位置決めする位置決め部が構成されている。これにより、ＡＶユニット４を所望の回動位置で確実かつ容易に保持することができる。更に、ＡＶユニット４の側面に配した平板状のロックレバー６を用いて位置決めを行うため、位置決め部の省スペース化を図りＡＶ装置１の小型化を図ることができる。
【００２３】
また、前述の図３に示すように、カバー１６の周部の１箇所にはマーク２９が設けられ、ＡＶユニット４の側面には各孔部１０に対応する位置に所定間隔でマーク２８が設けられている。これにより、位置決めされるＡＶユニット４の回動位置を容易に把握できるようになっている。
【００２４】
図７は図６のＢ−Ｂ断面を示す断面図である。ロックピン７の孔部１０に対向する側は、周方向のエッジ７ａが曲面から成っている。これにより、ロックピン７の脱離時にロックピン７の先端を孔部１０に侵入させたままＡＶユニット４を回動させることができる。
【００２５】
ＡＶユニット４の回動時には、ＡＶユニット４とロックピン７との摺動摩擦により負荷が発生する。ロックピン７が孔部１０上に配されると該負荷が軽減されるため、ユーザーは所定の位置決め位置にＡＶユニットが配されたことを容易に判別することができる。ロックピン７のエッジ７ａを斜面にしてもよい。
【００２６】
また、操作部８が突出するカバー１６の開口部１７（図３参照）は、周縁に凹部１７ａが形成されて操作部８の押下量が規制されるようになっている。これにより、容易にロックピン７の先端を孔部１０に侵入させたままＡＶユニット４を回動させることができる。
【００２７】
基台２２に設けた開口部９の周縁には、ロックピン７の嵌脱を案内するリブ２７が突設されている。リブ２７はロックピン７の周方向の位置を規制し、ロックピン７とＡＶユニット４との摺動時にロックレバー６が周方向に捩れることを防止する。その結果、安定して位置決めを行うことができる。
【００２８】
図８は、前述の図５のＣ−Ｃ断面図である。開口部９及び孔部１０の断面形状は４隅に曲線を有した略矩形に形成されている。ロックピン７は孔部１０と幅Ｗが略等しく、長さＬが短い略矩形に形成されている。これにより、ロックレバー６と孔部１０とは径方向の位置が高精度に一致しなくても嵌合可能になる。従って、高い組立精度を要求されず工数削減を図ることができる。孔部１０は矩形に限られず平行な２面を有する形状であればよい。また、ロックピン７は断面形状が円形や多角形でもよい。
【００２９】
本実施形態において、位置決め部をＡＶユニット４の一方側面に設けているが、両側面に設けてもよい。このようにすると、孔部１０とロックピン７との係合により保持できるＡＶユニット４の重量を２倍にすることができる。従って、重量の大きなＡＶユニット４の使用時の安全性を確保することができる。また、ロックレバー６をＡＶユニット４の枢支軸（段付ボルト５）に略平行に配置して、ＡＶユニット４の上面や背面に位置決め部を設けてもよい。
【００３０】
また、孔部１０をＡＶユニット４と一体に設け、ロックピン７を基台２２と一体のロックレバー６に設けているが、複数の突起部をＡＶユニット４に設けて該突起部と嵌合する孔部をロックレバー６に設けてもよい。また、複数の孔部１０を基台２２に設け、ロックピン７を有するロックレバー６をＡＶユニット４と一体に設けてもよい。
【００３１】
【発明の効果】
本発明によると、ＡＶユニットに設けた複数の孔部に、基台に設けた突起部を択一的に嵌合して前記ＡＶユニットの回動位置を位置決めするので、ＡＶユニットを所望の回動位置で確実かつ容易に保持することができる。
【００３２】
なお、操作部の押下と付勢手段の付勢力とにより突起部と孔部とを嵌脱させるので、回動位置を位置決めする機構を簡単な構成により容易に実現することができる。
【００３４】
しかも、突起部が孔部の周縁と当接するようにカバーによって操作部の押下量を規制したので、ＡＶユニットと突起部とを容易に摺動させることができるとともに、摺動摩擦による負荷の減少により容易に所定の回動位置を判別することができる。
【００３５】
また本発明によると、孔部は平行な２面を有するので、孔部と突起部との径方向の位置精度が要求されず、組立が容易になり工数削減を図ることができる。
【００３６】
また本発明によると、位置決め部をＡＶユニットの両側面に設けたので、孔部と突起部との係合により保持できるＡＶユニットの重量を２倍にして重量の大きなＡＶユニット使用時の安全性を確保することができる
【図面の簡単な説明】
【図１】    本発明の実施形態のＡＶ装置を示す上面図である。
【図２】    本発明の実施形態のＡＶ装置を示す正面図である。
【図３】    本発明の実施形態のＡＶ装置を示す側面図である。
【図４】    本発明の実施形態のＡＶ装置を示す側面断面図である。
【図５】    図４のＡ−Ａ断面図である。
【図６】    ロックピン脱離時のＡ−Ａ断面図である。
【図７】    図６のＢ−Ｂ断面図である。
【図８】    図５のＣ−Ｃ断面図である。
【図９】    従来のＡＶ装置を示す正面図及び側面図である。
【図１０】  従来のＡＶ装置を示す側面断面図である。
【符号の説明】
１    ＡＶ装置
４    ＡＶユニット
５    段付ボルト
６    ロックレバー
７    ロックピン（突起部、第２嵌合部）
８    操作部
９    開口部
１０    孔部（第１嵌合部）
１１    スプリング
１２    レバー軸受け
１３    レバー軸
１４    ワッシャー
１６    カバー
２２    基台
２３    ＡＶ素子
２４    回動機構部
２５    円形部
２８、２９  マーク
【図１】
0003744864.tif 000002
【図２】
0003744864.tif 000003
【図３】
0003744864.tif 000004
【図４】
0003744864.tif 000005
【図５】
0003744864.tif 000006
【図６】
0003744864.tif 000007
【図７】
0003744864.tif 000008
【図８】
0003744864.tif 000009
【図９】
0003744864.tif 000010
【図１０】
0003744864.tif 000011